(57)【要約】【課題】簡易に製造でき、かつ、輸液管への誤接続を防止できる流動体注出口を提供する。【解決手段】流動体注出口は、各種経腸栄養剤等の流動体が収容される流動体用容器１０に配設された注出部１１の一部であって、流動体が注出される筒状部１３として形成される。筒状部１３には、輸液管の接続部が挿入された場合に前記筒状部１３の少なくとも一部が破断されて、流動体が外部に漏出するように構成された破断部１６が形成されている。【選択図】図１
2013010535.tif 000002
【特許請求の範囲】
【請求項１】
各種経腸栄養剤等の流動体が収容される流動体用容器に配設又は接続されて前記流動体が注出される筒状部を有する流動体注出口であって、
輸液管の接続部が挿入された場合に前記筒状部の少なくとも一部が破断されて前記流動体が外部に漏出するように構成された破断部が形成されたことを特徴とする流動体注出口。
【請求項２】
前記破断部は、前記筒状部の一部に、他の前記筒状部よりも薄肉に形成されていることを特徴とする請求項１に記載の流動体注出口。
【請求項３】
前記破断部は、前記筒状部の軸方向に溝状の略直線状に複数形成されたことを特徴とする請求項１又は２に記載の流動体注出口。
【請求項４】
前記破断部は、前記筒状部の先端側に前記筒状部の略軸方向に形成された溝状の第一破断部と該第一破断部の延長上に前記筒状部の周方向に沿って形成された溝状の第二破断部とを有することを特徴とする請求項１又は２に記載の流動体注出口。
【請求項５】
前記破断部は、前記筒状部に螺旋状の溝状に形成されたことを特徴とする請求項１又は２に記載の流動体注出口。
【発明の詳細な説明】
【技術分野】
【０００１】
本発明は、流動体用容器に収容された経腸栄養剤等の流動体を注出させるための流動体注出口に関する。
【背景技術】
【０００２】
従来から、医療現場では各種経腸栄養剤や飲食物をゲル化またはゾル化した流動体が流動体用容器に収容されたものと、点滴静注に用いられる輸液が輸液容器に収容されたものとが併用されている。この流動体用容器と輸液容器とは、いずれも袋状の容器として形成されており、外観が近似していることが多い。加えて、流動体用容器も輸液容器も医療現場では同じようにスタンド等に吊り下げて使用される。そのため、医療現場においては、看護士が流動体用容器を輸液容器と取り違えてしまう事態が起こりやすい。
【０００３】
しかし、万が一経腸栄養剤等が収容された流動体用容器を誤って輸液管に接続してしまうと、経腸栄養剤等が輸液管を経て患者の静脈に直接注入されることになり、患者の身体状況に深刻な事態を引き起こす恐れがある。
【０００４】
従来、このような誤接続を防止するため、流動体用容器に配設される、先端の開口部を楕円形に形成した流動体用容器の注出口や、輸液管の挿入を阻止するためのスリットを内部に設けた流動体用容器の注出口が知られている（例えば、特許文献１参照）。
【先行技術文献】
【特許文献】
【０００５】
【特許文献１】特開２００６−２２５０２１号公報
【発明の概要】
【発明が解決しようとする課題】
【０００６】
しかし、特許文献１に記載の発明は、先端を楕円形に形成したり、スリットを内部に形成しなければならず、成形が難しいという問題がある。
【０００７】
本発明は上記の問題に鑑みてなされたものであり、簡易に製造でき、かつ、輸液管への誤接続を防止できる流動体注出口を提供することを課題としている。
【課題を解決するための手段】
【０００８】
かかる課題を達成するために、請求項１に記載の発明は、各種経腸栄養剤等の流動体が収容される流動体用容器に配設又は接続されて前記流動体が注出される筒状部を有する流動体注出口であって、輸液管の接続部が挿入された場合に前記筒状部の少なくとも一部が破断されて前記流動体が外部に漏出するように構成された破断部が形成されたことを特徴とする。
【０００９】
請求項２に記載の発明は、請求項１に記載の構成に加え、前記破断部は、前記筒状部の一部に、他の前記筒状部よりも薄肉に形成されていることを特徴とする。
【００１０】
請求項３に記載の発明は、請求項１又は２に記載の構成に加え、前記破断部は、前記筒状部の軸方向に溝状の略直線状に複数形成されたことを特徴とする。
【００１１】
請求項４に記載の発明は、請求項１又は２に記載の構成に加え、前記破断部は、前記筒状部の先端側に前記筒状部の略軸方向に形成された溝状の第一破断部と該第一破断部の延長上に前記筒状部の周方向に沿って形成された溝状の第二破断部とを有することを特徴とする。
【００１２】
請求項５に記載の発明は、請求項１又は２に記載の構成に加え、前記破断部は、前記筒状部に螺旋状の溝状に形成されたことを特徴とする
【発明の効果】
【００１３】
請求項１に記載の発明によれば、輸液管の接続部が挿入された場合に少なくとも一部が破断される破断部が形成されたことにより、看護士が輸液管の接続部を筒状部の内部に挿入した場合、接続部が筒状部を内側から径方向に押圧することで筒状部は破断部から破断され、流動体が外部に漏出する。そのため、看護士にただちに誤接続を認識せしめて、流動体が患者の静脈に注入される事態の発生を抑止できる。また、筒状部の形状を断面楕円形等の特定の形状のみに限定する必要がないので、流動体注出口を製造容易な形状や大きさに成形できる。これにより、流動体注出口を簡易に製造でき、かつ、流動体用容器が輸液管に誤接続される事態を防止できる。
【００１４】
請求項２に記載の発明によれば、破断部は、筒状部の一部に、他の筒状部よりも薄肉に形成されたことにより、接続部が筒状部の内部に挿入されたときには筒状部はより確実に破断され、流動体が外部に漏出する。これにより、流動体用容器が輸液管に誤接続される事態を確実に防止できる。
【００１５】
請求項３に記載の発明によれば、破断部は、筒状部の軸方向に溝状の略直線状に複数形成されたことにより、接続部が筒状部の内部に挿入されたときには筒状部の軸方向に亀裂が入って容易に破断され、流動体が外部に漏出する。これにより、流動体用容器が輸液管に誤接続される事態を確実に防止できる。
【００１６】
請求項４に記載の発明によれば、破断部は、筒状部の先端側に筒状部の略軸方向に形成された溝状の第一破断部と第一破断部の延長上に筒状部の周方向に沿って形成された溝状の第二破断部とを有することにより、接続部が筒状部の内部に挿入されたときには、まず第一破断部が接続部の押圧力によって破断され、この破断が第二破断部に伝播して第二破断部が筒状部の周方向に破断される。そして、第二破断部が全て破断されることで筒状部の先端部が筒状部の基端部側から離脱し、流動体が外部に漏出する。これにより、流動体用容器が輸液管に誤接続される事態を確実に防止できる。
【００１７】
請求項５に記載の発明によれば、破断部は、筒状部に螺旋状の溝状に形成されたことにより、接続部が筒状部の内部に挿入されたときには筒状部が螺旋状に破断されて流動体が多量に外部に漏出する。これにより、流動体用容器が輸液管に誤接続される事態を確実に防止できる。
【図面の簡単な説明】
【００１８】
【図１】この発明の実施の形態１に係る流動体用容器の全体図である。
【図２】同実施の形態１に係る流動体用容器等を示す図で、（ａ）は流動体注出口部分の部分拡大図、（ｂ）は（ａ）のＡ−Ａ線に沿う端面図である。
【図３】同実施の形態１に係る流動体用容器の、筒状部から蓋部を離脱させた状態を示す部分拡大図である。である。
【図４】同実施の形態１に係る流動体用容器の、筒状部に胃瘻用チューブを接続させた状態を示す部分拡大図である。
【図５】同実施の形態１に係る流動体用容器の、筒状部に誤って点滴用の輸液管を接続させた状態を示す部分拡大図である。
【図６】同実施の形態１に係る流動体用容器の、図５に示すＢ−Ｂ線に沿う断面図である。
【図７】この発明の実施の形態２に係る流動体注出口の全体図で、（ａ）は正面図、（ｂ）は（ａ）のＤ−Ｄ線に沿う端面図である。
【図８】同実施の形態２に係る流動体用容器等を示す図で、（ａ）は筒状部の先端部を封止部材で塞いだ状態を示す部分拡大図、（ｂ）は筒状部の部分拡大図及びキャップの全体図である。
【図９】同実施の形態２に係る流動体用容器の筒状部の部分拡大図及びアダプタの全体図である。
【図１０】同実施の形態２に係る流動体用容器の、筒状部にアダプタを接続させると共にアダプタに胃瘻用チューブを接続させた状態を示す部分拡大図である。
【図１１】同実施の形態２に係る流動体用容器の、筒状部にアダプタを接続させると共にアダプタに誤って点滴用の輸液管を接続させた状態を示す部分拡大図である。
【図１２】この発明の実施の形態３の流動体用容器の、流動体注出口部分の部分拡大図である。
【図１３】同実施の形態３に係る流動体用容器の流動体用容器等を示す図で、（ａ）筒状部に誤って点滴用の輸液管を接続させた状態を示す部分拡大図、（ｂ）筒状部の破断部が完全に破断された状態を示す部分拡大図である。
【図１４】この発明の実施の形態４の流動体用容器の、流動体注出口部分の部分拡大図である。
【図１５】同実施の形態４に係る流動体用容器等を示す図で、（ａ）筒状部に誤って点滴用の輸液管を接続させた状態を示す部分拡大図、（ｂ）筒状部の破断部が完全に破断された状態を示す部分拡大図である。
【発明を実施するための形態】
【００１９】
＜発明の実施の形態１＞
図１乃至図６に、この発明の実施の形態１を示す。
【００２０】
まず構成を説明すると、図１に示す、この実施の形態１の「流動体注出口」は、流動体用容器１０に配設された注出部１１の一部として形成されている。
【００２１】
図１に示す通り、流動体用容器１０は袋状の容器であり、各種経腸栄養剤や飲食物をゲル化またはゾル化した流動体が収容される。流動体用容器１０は、遮光性や液密性を有するフィルムが積層されて形成された本体部１２と、本体部１２の端部に接着された注出部１１とから成る。
【００２２】
注出部１１は、ポリプロピレン等の樹脂によって形成されている。図２の（ａ）に示す通り、注出部１１は、「流動体注出口」としての筒状部１３と、筒状部１３の先端側に設けられた蓋部１４と、筒状部１３の基端側に設けられて本体部１２に接着される固定部１５とを備えている。この実施の形態１においては、図３に示す、筒状部１３の長さＬ１は約２０ミリメートルに形成されている。但し長さＬ１はこれより長くても短くてもよい。
【００２３】
筒状部１３は円筒形に形成されている。筒状部１３の内周部には、他の筒状部よりも薄肉の破断部１６が形成されている。図２の（ｂ）に示す通り、破断部１６は、筒状部１３の内壁面に溝状に形成され、筒状部１３の２本の仮想軸１７，１７と筒状部１３の内周部とが交差する位置に、合計４ヶ所形成されている。それぞれの破断部１６は、筒状部１３の軸方向に沿って略直線状に形成されている。この実施の形態１においては、図２の（ｂ）に示す、筒状部１３の開口部２２の内径Ｌ２は約４．０ミリメートル、破断部１６の最も薄肉部分の肉厚Ｌ３は約０．２〜０．３ミリメートルである。但し内径Ｌ２の大きさや、肉厚Ｌ３の厚さはこれ以上でもこれ以下でもよい。
【００２４】
それぞれの破断部１６は、輸液管２５の接続部２６を開口部２２から筒状部１３の内部に挿入したとき（図５参照）、確実に流動体が漏出するように２０ミリメートル以上の長さ（即ち、破断部１６と接続部２６との間に間隙２７（図５、図６参照）が形成され流動体が確実に漏出するのに必要な破断部１６の長さ）に形成される。この実施の形態１では、破断部１６は筒状部１３の先端部から第二のフランジ部１９よりも基端部側まで設けられている。
【００２５】
図２の（ａ）に示す通り、筒状部１３の外周部には、第一のフランジ部１８、第二のフランジ部１９が径方向に突設されている。
【００２６】
蓋部１４は、筒状部１３の先端側に筒状部１３と一体に形成されている。蓋部１４は有蓋円筒形に形成されて、筒状部１３の先端の開口部を塞いでいる。蓋部１４の外周部には、一対の板状のつまみ片２０，２０が径方向に突設されている。
【００２７】
筒状部１３と蓋部１４との間には、薄肉の溝状に形成された折り取り部２１が形成されている。
【００２８】
図２の（ａ）に示す通り、固定部１５は正面及び背面が平面形状に形成されており、本体部１２に熱融着等によって容易に接合可能になっている。固定部１５の内部には、筒状部１３の延長上に位置して円筒形の貫通孔２８が形成されている。
【００２９】
次に、この実施の形態１の作用について記載する。
【００３０】
流動体用容器１０を使用する場合、まず、看護士はつまみ片２０，２０に指を当接させて蓋部１４を径方向に回転させ、折り取り部２１を破断させて筒状部１３から蓋部１４を離脱させる。この状態で、図３に示す通り、筒状部１３の先端には開口部２２が形成される。
【００３１】
次に、看護士は筒状部１３に胃瘻用チューブ２３を接続させる。具体的には、図４に示す通り、胃瘻用チューブ２３の先端側の接続部２４に筒状部１３を挿入し、胃瘻用チューブ２３の接続部２４が第一のフランジ部１８と第二のフランジ部１９の間に止着されるようにする。この状態で、流動体用容器１０内の流動体は開口部２２から胃瘻用チューブ２３を経て患者の胃や腸の内部に供給される。
【００３２】
一方、筒状部１３から蓋部１４を離脱させたのち、看護士が誤って筒状部１３に点滴用の輸液管を接続してしまった場合を考える。この場合、輸液管２５の先端の接続部２６の直径は筒状部１３の開口部２２の直径よりも小さい。そのため、図５に示す通り、輸液管２５の接続部２６は開口部２２から筒状部１３の内部に挿入される。このとき、輸液管２５の接続部２６は筒状部１３の内壁を径方向外方に向けて押圧するので、４条の破断部１６，１６，１６，１６のうちの一部または全部は、押圧力に抗し切れずに筒状部１３の先端側から破断する。
【００３３】
破断部１６が破断すると、図５に示す通り、輸液管２５の接続部２６と破断された破断部１６との間には間隙２７が形成される。そのため、流動体用容器１０の内部の流動体が開口部２２から注出された場合、図６の矢印Ｃに示す通り、間隙２７から筒状部１３の外部に流動体が漏出する。流動体が漏出することで、看護士に、流動体用容器１０と輸液管２５との接続が誤接続であることを認識させることができる。
【００３４】
以上、この実施の形態１においては、輸液管２５の接続部２６が挿入された場合に少なくとも一部が破断される破断部１６が形成されたことにより、看護士が輸液管２５の接続部２６を筒状部１３の内部に挿入した場合、接続部２６が筒状部を内側から径方向に押圧することで筒状部１３は破断部１６から破断され、流動体が外部に漏出する。そのため、看護士にただちに誤接続を認識せしめて、流動体が患者の静脈に注入される事態の発生を抑止できる。
【００３５】
また、この実施の形態１においては、筒状部１３の形状を断面楕円形等の特定の形状のみに限定する必要がないので、筒状部１３を製造容易な形状や大きさに成形できる。これにより、筒状部１３を含む流動体用容器１０を簡易に製造でき、かつ、流動体用容器１０が輸液管に誤接続される事態を防止できる。
【００３６】
この実施の形態１においては、破断部１６は、筒状部１３の一部に、他の筒状部１３よりも薄肉に形成されたことにより、接続部２４が筒状部１３の内部に挿入されたときには、薄肉に形成された破断部１６は接続部２４によって加えられた押圧力によって最先に破断される。そのため、筒状部１３はより確実に破断され、流動体が外部に漏出する。これにより、流動体用容器１０が輸液管２５に誤接続される事態を確実に防止できる。
【００３７】
この実施の形態１においては、破断部１６は、筒状部１３の軸方向に溝状の略直線状に複数形成されたことにより、破断箇所を正確に特定し、かつ、接続部２４によって加えられた押圧力によって破断が起こりやすく形成できる。そして接続部２４が筒状部１３の内部に挿入されたときには筒状部１３の軸方向に亀裂が入って容易に破断され、流動体が外部に漏出する。これにより、流動体用容器１０が輸液管２５に誤接続される事態を確実に防止できる。
【００３８】
＜発明の実施の形態２＞
図７乃至図１１に、この発明の実施の形態２を示す。
【００３９】
この発明の実施の形態２においては、「流動体注出口」は、図８に示す流動体用容器４０の注出部４１に接続される、図７に示すアダプタ３０として形成されている点が実施の形態１と相違する。
【００４０】
アダプタ３０は、流動体用容器４０と胃瘻用チューブ２３とを接続させるために用いられる。アダプタ３０は、流動体用容器４０の注出部４１と同様に、ポリプロピレン等の樹脂によって形成されている。
【００４１】
図７の（ａ）に示す通り、アダプタ３０は、基端部から先端部の開口部３１に向けて縮径した円筒形に形成されている。この実施の形態２においては、図７の（ａ），（ｂ）に示す、アダプタ３０の全長Ｌ４は約４３ミリメートルである。また、開口部３１の内径Ｌ５は約４．０ミリメートル、外径Ｌ６は約６．０ミリメートルである。但し全長Ｌ４の長さや、内径Ｌ５及び外径Ｌ６の大きさはこれ以上でもこれ以下でもよい。アダプタ３０の外周面には、環状の滑り止め３２が径方向外方に向けて複数突設されている。アダプタ３０の内周面の基端部側には、螺旋状の雌ねじ（図示せず）が刻設されている。
【００４２】
アダプタ３０の内周面の先端部側には、他の筒状部よりも薄肉の破断部３３が形成されている。図７の（ｂ）に示す通り、破断部３３は、アダプタ３０の２本の仮想軸３４，３４とアダプタ３０の内周部とが交差する位置に、合計４ヶ所、溝状に形成されている。それぞれの破断部３３は、アダプタ３０の軸方向に沿って略直線状に形成されている。この実施の形態２においては、図７の（ｂ）に示す破断部３３の最も薄肉部分の肉厚Ｌ７は約０．２〜０．３ミリメートルである。但し肉厚Ｌ７の厚さはこれ以上でもこれ以下でもよい。
【００４３】
それぞれの破断部３３は、輸液管２５の接続部２６を開口部３１からアダプタ３０の内部に挿入したとき（図１１参照）、確実に流動体が漏出するように２０ミリメートル以上の長さ（即ち、破断部３３と接続部２６との間に間隙３６（図１１参照）が形成され流動体が確実に漏出するのに必要な破断部３３の長さ）に形成される。この実施の形態２では、破断部３３はアダプタ３０の先端部から、軸方向の半分よりも基端部側まで設けられている。
【００４４】
図８の（ａ）（ｂ）に示す通り、流動体用容器４０は、本体部１２と注出部４１とからなる。注出部４１の筒状部４２の外周面には螺旋状の雄ねじ４３が突設されている。筒状部４２の先端側には、実施の形態１の蓋部１４に替えて、封止部材４４が設けられていたり、キャップ４６が取り付けられている。図８の（ａ）に示す封止部材４４は、アルミニウム等液密性と遮光性を有する薄膜で形成されて筒状部４２の先端の開口部４５を覆っている。図８の（ｂ）に示すキャップ４６はポリプロピレン等の樹脂で形成されている。キャップ４６を注出部４１に螺合させた状態で、注出部４１の先端部はキャップ４１の内側と密着して、筒状部４２の先端の開口部４５を覆っている。それ以外の構成は実施の形態１と同様である。
【００４５】
この実施の形態２においては、流動体用容器１０を使用する場合、看護士は、図９に示す通り、使用する前に、筒状部４２から封止部材４４もしくはキャップ４６を取り外し、筒状部４２の雄ねじ４３にアダプタ３０の雌ねじ（図示せず）を螺合させて、筒状部４２にアダプタ３０を接合させる。
【００４６】
次に、看護士はアダプタ３０に胃瘻用チューブ２３を接続させる。具体的には、図１０に示す通り、胃瘻用チューブ２３の先端部の接続部２４にアダプタ３０を挿入する。そして、胃瘻用チューブ２３の接続部２４の内周面はアダプタ３０の滑り止め３２に当接し、接続部２４とアダプタ３０とは摩擦力によって固定される。
【００４７】
一方、アダプタ３０を筒状部４２に接続させたのち、看護士が誤ってアダプタ３０に点滴用の輸液管を接続してしまった場合を考える。輸液管２５の先端の接続部２６の直径はアダプタ３０の開口部３１の直径よりも小さい。そのため、図１１に示す通り、輸液管２５の接続部２６は開口部２２から筒状部１３の内部に挿入される。そのため、実施の形態１と同様、４条の破断部３３，３３，３３，３３のうちの一部または全部が接続部２６の押圧力によってアダプタ３０の先端側から破断し、接続部２６と破断された破断部３３との間には間隙３６が形成される。流動体用容器４０の内部の流動体が開口部２２から注出されると、間隙３６から筒状部４２の外部に流動体が漏出する。この流動体の漏出により、看護士に誤接続を認識させることができる。
【００４８】
以上、この実施の形態２においても、実施の形態１と同様に、アダプタ３０を簡易に製造でき、かつ、流動体用容器４０が輸液管に誤接続される事態を防止できる。
【００４９】
＜発明の実施の形態３＞
図１２及び図１３に、この発明の実施の形態３を示す。
【００５０】
この実施の形態３の「流動体注出口」は、流動体用容器５０に配設された注出部５１の筒状部５２として形成されている点は実施の形態１と同じであるが、筒状部５２の破断部の構成が実施の形態１の筒状部１３の破断部１６と相違する。
【００５１】
図１２に示す通り、この実施の形態３の破断部５３は、筒状部５２の先端側に筒状部５２の略軸方向に形成された溝状の第一破断部５４と、第一破断部５４の延長上に筒状部５２の周方向に沿って形成された溝状の第二破断部５５とを有する。その他の構成は実施の形態１と同じである。
【００５２】
この実施の形態３の流動体用容器５０において、筒状部５２から図１２に示す蓋部１４を離脱させたのち、看護士が誤って筒状部５２に点滴用の輸液管２５を接続してしまった場合を考える。この場合も、図１３の（ａ）に示す通り、輸液管２５の接続部２６は筒状部５２の開口部５６から筒状部５２の内部に挿入される。すると、輸液管２５の接続部２６は筒状部５２の内壁を径方向外方に向けて押圧して、第一破断部５４が筒状部５２の先端側から軸方向に向けて破断される。
【００５３】
第一破断部５４が全て破断されると破断は第二破断部５５に伝播し、第二破断部５５が筒状部５２の周方向に沿って破断される。第二破断部５５が全て破断されると、図１３の（ｂ）に示す通り、筒状部５２の第二破断部５５よりも先端側が基端側から離脱する。そのため、流動体用容器５０から注出された流動体は輸液管に注入されずに全て外部に漏出すると共に、看護士に誤接続を認識させることができる。これにより、流動体用容器５０が輸液管２５に誤接続される事態を確実に防止できる。
【００５４】
＜発明の実施の形態４＞
図１４及び図１５に、この発明の実施の形態４を示す。
【００５５】
この実施の形態４の「流動体注出口」は、流動体用容器５０に配設された注出部６１の筒状部６２として形成されている点は実施の形態１、３と同じであるが、筒状部６２の破断部の構成が実施の形態１の筒状部１３の破断部１６や実施の形態３の筒状部５２の破断部５３と相違する。
【００５６】
図１４に示す通り、この実施の形態４の破断部６３は、筒状部６２の先端側に螺旋状の溝状に形成されている。その他の構成は実施の形態１、３と同じである。
【００５７】
この実施の形態４の流動体用容器６０において、筒状部６２から図１２に示す蓋部１４を離脱させたのち、看護士が誤って筒状部６２に点滴用の輸液管を接続してしまった場合を考える。この場合も、図１５の（ａ）に示す通り、輸液管２５の接続部２６は筒状部６２の開口部６４から筒状部６２の内部に挿入される。すると、輸液管２５の接続部２６は筒状部６２の内壁を径方向外方に向けて押圧して、破断部６３が筒状部６２の先端側から破断される。
【００５８】
破断部６３が全て破断されると、図１５の（ｂ）に示す通り、筒状部６２には螺旋状の間隙６５が形成される。そのため、筒状部６２の形状は大きく変化すると共に、流動体用容器５０から注出された流動体は大量に外部に漏出する。そして、筒状部６２の形状の変化と流動体の漏出により、看護士に誤接続を認識させることができる。これにより、流動体用容器６０が輸液管２５に誤接続される事態を確実に防止できる。
【００５９】
なお、上記実施の形態１乃至４においては、破断部１６，４４，５３，６３は筒状部１３、アダプタ３０、筒状部５２，６２の内周面に沿って刻設されていたが、これに限らず、筒状部１３、アダプタ３０、筒状部５２，６２の外周面に沿って設けられていてもよい。
【００６０】
また、上記実施の形態１乃至４においては、破断部１６，３３，５３，６３は溝状に形成されていたが、溝状以外の形状、例えば薄板状の形状に形成されていてもよい。
【００６１】
また、上記実施の形態３及び４においては、筒状部５２，６２に破断部５３，６３を設けたが、実施の形態３及び４の破断部５３，６３を実施の形態２のアダプタ３０に設けてもよい。
【００６２】
上記各実施の形態は本発明の例示であり、本発明が上記各実施の形態に限定されることを意味するものではないことは、いうまでもない。
【符号の説明】
【００６３】
１０，４０，５０，６０・・・流動体用容器
１３，４２，５２，６２・・・筒状部（流動体注出口）
１６，３３，５３，６３・・・破断部
２５・・・輸液管
２６・・・接続部
３０・・・アダプタ（流動体注出口）
【図１】
2013010535.tif 000003
【図２】
2013010535.tif 000004
【図３】
2013010535.tif 000005
【図４】
2013010535.tif 000006
【図５】
2013010535.tif 000007
【図６】
2013010535.tif 000008
【図７】
2013010535.tif 000009
【図８】
2013010535.tif 000010
【図９】
2013010535.tif 000011
【図１０】
2013010535.tif 000012
【図１１】
2013010535.tif 000013
【図１２】
2013010535.tif 000014
【図１３】
2013010535.tif 000015
【図１４】
2013010535.tif 000016
【図１５】
2013010535.tif 000017